(57)【要約】【課題】縮尺率指定の変倍を操作性よく行うことができる利便性の高い画像形成装置を提供すること。【解決手段】所定の操作により入力された、元原稿上に形成された画情報の縮尺率である原稿縮尺率と、所定の操作により入力された所望縮尺率とから、変倍処理後の画情報が当該所望縮尺率となる変倍率である必要変倍率を算出し、前記元原稿を読み取って得た画情報をその算出された必要変倍率で変倍処理して得られた画情報を複写用紙上に形成して出力することを特徴とする。【選択図】    図３
2004282533.tif 000002
【特許請求の範囲】
【請求項１】
読み取り原稿としてセットされた元原稿を読み取って得た画情報を変倍処理して得られた画情報を複写用紙上に形成して出力する変倍機能を備えた画像形成装置において、
所定の操作により入力された、前記元原稿上に形成された画情報の縮尺率である原稿縮尺率と、所定の操作により入力された所望縮尺率とから、変倍処理後の画情報が当該所望縮尺率となる変倍率である必要変倍率を算出する変倍率算出手段と、前記元原稿を読み取って得た画情報を前記変倍率算出手段により算出された前記必要変倍率で変倍処理して得られた画情報を前記複写用紙上に形成して出力する縮尺率変換複写手段とを備えたことを特徴とする画像形成装置。
【請求項２】
前記変倍率算出手段により算出された前記必要変倍率が、自装置において可能な最大の変倍率である上限変倍率を超える場合に、前記必要変倍率を、前記上限変倍率以下であって、互いを乗じた値が前記必要変倍率となる、第１ないし第Ｎ（Ｎは２以上）の複数の部分変倍率に分割する変倍率分割手段を更に備え、
前記縮尺率変換複写手段は、読み取り原稿としてセットされた前記元原稿を読み取って得られた画情報を第１の部分変倍率で変倍処理して得られた画情報を第１の作業用用紙上に形成し、更に、読み取り原稿としてセットされた第Ｋ（Ｋ＝１、…、Ｎ−１）の作業用用紙を読み取って得られた画情報を第Ｋ＋１の部分変倍率で変倍処理して画情報を得る動作を、第Ｎの部分変倍率で変倍処理された画情報を得るまで、１回または複数回行い、その第Ｎの部分変倍率で変倍処理された画情報を前記複写用紙上に形成するものであることを特徴とする請求項１に記載の画像形成装置。
【請求項３】
前記第１ないし第Ｎの複数の部分変倍率のうち、第２ないし第Ｎの、１つまたは複数の部分変倍率を前記上限変倍率とすることを特徴とする請求項１または２のいずれかに記載の画像形成装置。
【請求項４】
前記縮尺率変換複写手段は、自装置において使用可能な複数の定型サイズにカットされた用紙のうち、少なくとも前記作業用用紙として、それら各用紙に形成すべき画情報が収まるサイズであって、最小サイズの用紙を選択して使用するものであることを特徴とする請求項１、２または３のいずれかに記載の画像形成装置。
【請求項５】
前記縮尺率変換複写手段は、自装置において使用可能な複数の定型サイズの用紙のうち、少なくとも、前記作業用用紙として、幅は定型サイズだが長さは必要に応じてカット可能なロール状用紙を用い、そのロール状用紙に画情報サイズが収まる長さに当該ロール状用紙をカットして使用するものであることを特徴とする請求項１、２または３のいずれかに記載の画像形成装置。
【発明の詳細な説明】
【０００１】
【発明の属する技術分野】
本発明は画像形成装置に関し、特に、読み取り原稿としてセットされた元原稿を読み取って得た画情報を変倍処理して得られた画情報を複写用紙上に形成して出力する変倍機能を備えた画像形成装置に関する。
【０００２】
【従来の技術】
例えば小さな文字のＡ５サイズの元原稿の画情報を、約１４１％で変倍処理して得た画情報を複写用紙（装置の変倍機能の最終的な実行結果としてユーザに提示される用紙）上に形成して出力するような変倍機能を備えた画像形成装置は多い。
【０００３】
変倍機能の利便性を高めるための技術も種種提案されている（特許文献１，特許文献２等）。
【０００４】
【特許文献１】
特開２００１−２１８０２６号公報
【特許文献２】
特開６−４６２４８号公報
【０００５】
一方、元原稿上に形成されている画情報の中には、その縮尺率、つまり、実物の大きさを基準とした小ささが意味を持つ場合がある。
【０００６】
それは、具体的には、地図や設計図である。例えば、元原稿上に形成された画情報が１００００分の１の地図であれば、原稿上の１ｃｍが、実物の１００ｍに対応する。
【０００７】
そのような、縮尺率が意味を持つ画情報を内容とする元原稿の場合、例えば５００００分の１の縮尺率の地図を内容とする元原稿から、１００００分の１の縮尺の地図を内容とする画情報が形成された複写用紙を得たい場合がある。
【０００８】
【発明が解決しようとする課題】
しかし、従来の変倍率指定の変倍機能しか持たない画像形成装置では、原稿縮尺率としての５００００分の１の縮尺率と、所望縮尺率としての１００００分の１の縮尺率とから、必要となる変倍率（必要変倍率）をユーザが計算して設定しなくてはならず、操作性がよくないという問題点があった。
【０００９】
また、前記原稿縮尺率と前記所望縮尺率とから算出される必要変倍率が画像形成装置の上限の変倍率（例えば２００％、４００％）を越える場合には、２段階または、それ以上の複数段階の変倍処理を、各段階の変倍率をユーザが計算したり、各段階で必要となる用紙サイズをユーザが設定したりして行う必要があるため、操作が非常に煩雑になり、用紙の無駄も生じやすいというるという問題点があった。
【００１０】
本発明はかかる事情に鑑みてなされたものであり、縮尺率指定の変倍を操作性よく行うことができる利便性の高い画像形成装置を提供することを目的とする。
【００１１】
【課題を解決するための手段】
請求項１に記載の画像形成装置は、読み取り原稿としてセットされた元原稿を読み取って得た画情報を変倍処理して得られた画情報を複写用紙上に形成して出力する変倍機能を備えた画像形成装置において、所定の操作により入力された、前記元原稿上に形成された画情報の縮尺率である原稿縮尺率と、所定の操作により入力された所望縮尺率とから、変倍処理後の画情報が当該所望縮尺率となる変倍率である必要変倍率を算出する変倍率算出手段と、前記元原稿を読み取って得た画情報を前記変倍率算出手段により算出された前記必要変倍率で変倍処理して得られた画情報を前記複写用紙上に形成して出力する縮尺率変換複写手段とを備えたことを特徴とする。
【００１２】
請求項２に記載の画像形成装置は、請求項１に記載の画像形成装置において、前記変倍率算出手段により算出された前記必要変倍率が、自装置において可能な最大の変倍率である上限変倍率を超える場合に、前記必要変倍率を、前記上限変倍率以下であって、互いを乗じた値が前記必要変倍率となる、第１ないし第Ｎ（Ｎは２以上）の複数の部分変倍率に分割する変倍率分割手段を更に備え、前記縮尺率変換複写手段は、読み取り原稿としてセットされた前記元原稿を読み取って得られた画情報を第１の部分変倍率で変倍処理して得られた画情報を第１の作業用用紙上に形成し、更に、読み取り原稿としてセットされた第Ｋ（Ｋ＝１、…、Ｎ−１）の作業用用紙を読み取って得られた画情報を第Ｋ＋１の部分変倍率で変倍処理して画情報を得る動作を、第Ｎの部分変倍率で変倍処理された画情報を得るまで、１回または複数回行い、その第Ｎの部分変倍率で変倍処理された画情報を前記複写用紙上に形成するものであることを特徴とする。
【００１３】
請求項３に記載の画像形成装置は、請求項１または２のいずれかに記載の画像形成装置において、前記第１ないし第Ｎの複数の部分変倍率のうち、第２ないし第Ｎの、１つまたは複数の部分変倍率を前記上限変倍率とすることを特徴とする。
【００１４】
請求項４に記載の画像形成装置は、請求項１、２または３のいずれかに記載の画像形成装置において、前記縮尺率変換複写手段は、自装置において使用可能な複数の定型サイズにカットされた用紙のうち、少なくとも前記作業用用紙として、それら各用紙に形成すべき画情報が収まるサイズであって、最小サイズの用紙を選択して使用するものであることを特徴とする。
【００１５】
請求項５に記載の画像形成装置は、請求項１、２または３のいずれかに記載の画像形成装置において、前記縮尺率変換複写手段は、自装置において使用可能な複数の定型サイズの用紙のうち、少なくとも、前記作業用用紙として、幅は定型サイズだが長さは必要に応じてカット可能なロール状用紙を用い、そのロール状用紙に画情報サイズが収まる長さに当該ロール状用紙をカットして使用するものであることを特徴とする。
【００１６】
【発明の実施の形態】
以下、添付図面を参照しながら、本発明の実施の形態を詳細に説明する。
【００１７】
図１に、本発明の実施の形態に係る画像形成装置の概略正面図を示す。
【００１８】
同図において、画像形成装置１は、コンタクトガラス２８上に載置された原稿を原稿押さえ台２９でコンタクトガラス２８に密着させた上で、原稿の画情報を、画像形成装置として備えるスキャナ機能により読み取る。
【００１９】
原稿を読み取って得られた画情報は、画像形成装置１として備える画像処理機能により変倍処理などの必要な処理が行われ、処理後の画情報は、画像形成装置１として備えるプロッタ機能により、複写用紙上に形成されて、その画情報が形成された後の複写用紙は、排紙トレイ３０上に排出されてユーザに対して提示される。
【００２０】
ユーザは、トレイ３０上に排紙された複写用紙、つまり、画像形成装置１の複写機能の最終的な結果物を得ることで、目的を達する。
【００２１】
画像形成装置１は、そのプロッタ機能により画情報を形成するための用紙として、給紙カセット２０、２１、２２，２４及び２５に、それぞれ、Ａ５、Ａ４、Ａ３、Ａ２、Ａ１及びＡ０の各サイズの定型のカット紙（カットされた用紙）を収納している。また、給紙ユニット２６には、幅はＡ０サイズだが、長さは不定型で任意のサイズに、図示しないカッター機構によりカットして使用するＡ０ロール紙を収納している。
【００２２】
なお、本発明は、使用可能な用紙サイズにより限定されるものではなく、例えばＢ５、Ｂ４、Ｂ３等のその他のサイズの用紙を画情報を形成するための用紙として使用してよいのはいうまでもない。
【００２３】
画像形成装置１は、ユーザによる明示的に指定された、または、装置動作に応じて持統的に選択したサイズの用紙を、対応する給紙カセットまたは給紙ユニットから給紙して、画情報を形成して排紙するための用紙として用いる。
【００２４】
図２に、コンタクトガラス２８上の読み取り基準位置Ｐｓｔｄにセットされる各サイズの用紙について概略的に示す。
【００２５】
画像形成装置１は、そのスキャナ機能により、読み取り基準位置Ｐｓｔｄにセットされた原稿のサイズに応じた領域、明示的にユーザに指定された領域（例えば、幅１０ｃｍ、長さ１２ｃｍ）、または、自装置で自動的に設定した領域を読み取り画情報を得る。
【００２６】
図３に、画像形成装置１のブロック構成について示す。
【００２７】
ＣＰＵ２は、ＲＯＭ３に書き込まれた制御プログラムに従って、ＲＡＭ４を作業領域として使用しながら、装置各部を制御するマイクロコンピュータである。また、ＣＰＵ２は、画像形成装置１の画像処理機能、具体的には、変倍処理機能等を担うものである。なお、画像形成装置１の上限変倍率は４（４００％）であるとする。ただし、上限変倍率により、本発明は限定されるものではなく、例えば２００％や３００％であってもよい。
【００２８】
ＲＯＭ３は、前述したように、ＣＰＵ２が装置各部を制御したりするための制御プログラムが記憶されているリードオンリメモリである。
【００２９】
ＲＡＭ４は、前述したようにシステム制御部２の作業領域として使用されるランダムアクセスメモリである。
【００３０】
操作表示部５は、ユーザによる各種操作入力を受け入れたり、装置の動作状態や、各種メッセージを表示するものである。
【００３１】
スキャナ７は、画像形成装置１まスキャナ機能を担うもので、所定の画素密度で原稿を読み取って画情報を得るためのものである。その所定の画素密度により本発明は限定されるものではないが、、本実施の形態では４００ｄｐｉであるとする。
【００３２】
プロッタ６は、画像形成装置１のプロッタ機能を担うもので、所定の画素密度で画情報を用紙上に形成するためのものである。その所定の画素密度により本発明は限定されるものではないが、本実施の形態では４００ｄｐｉであるとする。
【００３３】
システムバス８は、上記各部がデータをやり取りするための信号ラインである。
【００３４】
図４に、画像形成装置１の操作表示部５の配置構成について示す。
【００３５】
同図において、テンキー５ａは、０ないし９の数字や「＃」、「＊」の各記号を入力するためのものである。［Ｙｅｓ］キー５ｂは、表示器５ｈに表示された内容に対して肯定的な操作入力を行ためのものである。［Ｎｏ］キー５ｃは、表示器５ｉに表示された内容に対して否定的な操作入力を行うためのものである。
【００３６】
［ストップ］キー５ｄは、装置動作の強制的な中断を指示したりするためのものである。［スタート］キー５ｅは、複写動作などの各種装置動作の開始を指示するためのものである。
【００３７】
［ファンクション］キー５ｆは、その押下操作と、テンキー５ａによる番号入力操作との組み合わせにより、各種設定・登録機能を呼び出したりするためのものである。
【００３８】
矢印キー群５ｇは、［↑］キー５ｇｕ、［↓］キー５ｇｄ、［→］キー５ｇｒ、及び、［←］キー５ｇｌにより構成され、表示器５ｈに表示され選択項目のうちの特定の項目を選択したり、表示器５ｈの表示を上下左右にスクロールさせたりするためのものである。
【００３９】
［変倍モード］キー５ｉは、変倍モードを倍率指定モードまたは縮尺率指定のいずれかのモードに選択設定するためのものである。
【００４０】
インジケータランプ５ｋ及び５ｊは、それぞれ、［変倍モード］キー５ｉにより設定される、「倍率指定」または「縮尺率指定」の各変倍モードのうちのいずれのモードが選択されているかを示すためのもので、図においては、「縮尺率指定」のモードが選択されている状態を示している。
【００４１】
その変倍モードの現在の設定状態は、所定のフラグの値としてＲＡＭ４の所定の記憶領域に記憶され、ＣＰＵ２は、そのフラグの値を読み出すことで、現在の変倍モードが、「倍率指定」または「縮尺率指定」のいずれてあるのかを知ることができる。
【００４２】
図５に、ＲＯＭ３に記憶される原稿・用紙サイズ設定テーブル３ａについて示す。
【００４３】
同図（ａ）に示すようにＲＯＭ３に記憶される、原稿・用紙サイズ設定テーブル３ａは、具体的には、同図（ｂ）に示す内容である。
【００４４】
つまり、「管理番号」、「原稿サイズ名称」、「幅」、及び、「長さ」の対応付けとして構成されている。このテーブル３ａを参照することにより、指定または選択した、原稿や用紙のサイズを取得でき、また、画情報の「幅」及び「長さ」の各サイズから、その画情報を納めるのに必要な用紙サイズを取得できる。
【００４５】
次に、以上のように構成される画像形成装置１における複写処理手順について、図６、図７及び図８を参照して説明する。なお、それらの図に示す処理手順は、縮尺率変換複写手段に相当する処理含んでいる。
【００４６】
それらの図において、画像形成装置１のＣＰＵ２は、［スタート］キー５ｅの押下を監視している（判断Ｓ１０１のＮｏのループ）。この場合の、［スタート］キー５ｅの押下は、読み取り原稿としてコンタクトガラス２８上の読み取り基準位置Ｐｓｔｄに元原稿を載置した上でユーザにより行われるものである。
【００４７】
判断Ｓ１０１において、［スタート］キー５ｅが押下されると（判断Ｓ１０１のＹｅｓ）、現在の変倍モードの設定状態を確認する（処理Ｓ１０２）。その確認の結果、「縮尺率指定」ではなく、「倍率指定」の場合には、通常の倍率指定複写処理を行う（処理Ｓ１０９）。
【００４８】
なお、処理Ｓ１０９の倍率指定複写処理は、具体的には、明示的に指定されるか公地の原稿サイズセンサにより自動的に認識したサイズで読み取った元原稿の画情報を、直接的（例えば１４１％）に、または間接的（Ｂ５→Ａ４）に指定された変倍率で変倍処理して得られた画情報を適当な用紙に形成して排紙する処理である。
【００４９】
判断Ｓ１０３において、「縮尺率指定」のモードであった場合には、表示制御処理、つまり、表示器５ｈに、図９に示す表示Ｄ０１を表示する処理（処理Ｓ１０４）を、［Ｙｅｓ］キー５ｂが押下されるまで行う（判断Ｓ１０５のＮｏのループ）。
【００５０】
表示Ｄ０１では、［←］キー５ｇｌまたは［→］キー５ｇｒにより、読み取り原稿サイズを定型用紙サイズにより入力するように促すと共に、［←］キー５ｇｌまたは［→］キー５ｇｒの押下に応じて、カーソル（アンダーライン）を「Ａ０」、「Ａ１」、「Ａ２」、「Ａ３」、「Ａ４」、「Ａ５」、または、「Ａ０ロール」の各文字列の位置に順次移動すると共に、現在の選択位置を記憶する。
【００５１】
なお、それらの文字列は、テーブル３ａの「サイズ名称」に対応し、現在の選択位置は、「管理番号」に対応する。
【００５２】
判断Ｓ１０５において、［Ｙｅｓ］キー５ｂが押下されると（判断Ｓ１０５のＹｅｓ）、選択された原稿サイズに応じた値（管理番号）を変数Ｓ＿ｓｅｌｅｃｔに代入してＲＡＭ４に記憶する（処理Ｓ１０６）。
【００５３】
続いて、表示制御処理、つまり、表示器５ｈに、図９に示す表示Ｄ０２を表示する処理（処理Ｓ１０７）を、［Ｙｅｓ］キー５ｂが押下されるまで行う（判断Ｓ１０８のＮｏのループ）。
【００５４】
表示Ｄ０２では、元原稿の縮尺率、つまり、原稿縮尺率の指定を促すと共に、テンキー５ａによりアンダーライン位置に入力された数字列（この場合５００００）を記憶する。
【００５５】
判断Ｓ１０８において、［Ｙｅｓ］キー５ｂが押下されると（判断Ｓ１０８のＹｅｓ）、指定された元原稿の縮尺率の値（この場合５００００）を、変数Ｓｇに代入してＲＡＭ４に記憶する（処理Ｓ２０１）。
【００５６】
続いて、表示制御処理、つまり、表示器５ｈに、図９に示す表示Ｄ０３を表示する処理（処理Ｓ２０２）を、［Ｙｅｓ］キー５ｂが押下されるまで行う（判断Ｓ２０３のＮｏのループ）。
【００５７】
表示Ｄ０３では、変倍して得たい縮尺率、つまり、所望縮尺率の指定を促すと共に、テンキー５ａによりアンダーライン位置に入力された数字列（この場合１００００）を記憶する。
【００５８】
判断Ｓ２０３において、［Ｙｅｓ］キー５ｂが押下されると（判断Ｓ２０３のＹｅｓ）、指定された所望縮尺率の値（この場合１００００）を、変数Ｓｓに代入してＲＡＭ４に記憶する（処理Ｓ２０４）。
【００５９】
そして、原稿縮尺率Ｓｇ及び所望縮尺率Ｓｓとから必要変倍率Ｈｈを算出する（処理Ｓ２０５）。つまり、ＳｇをＳｓで除することにより（Ｓｇ／Ｓｓ）、具体的には、（５００００／１００００）により、必要変倍率Ｈｈは５（５００％）と算出される。この処理手順は変倍率算出手段に相当する。
【００６０】
更に、変数Ｓ＿ｓｅｌｅｃｔをテーブル３ａと照合して対応する「幅」を原稿幅Ｗｄとして、対応する「長さ」を、原稿長さＬｄとして取得する（処理Ｓ２０６）。
【００６１】
そして、必要複写用紙サイズ（幅Ｗｈ、長さＬｈ）を算出する（処理Ｓ２０７）。具体的には、原稿幅Ｗｄと必要変倍率Ｈｈとを互いに乗じることにより（Ｗｄ×Ｈｈ）、幅Ｗｈを算出する。また、原稿長さＬｄと必要変倍率Ｈｈとを互いに乗じることにより（Ｌｄ×Ｈｈ）、長さＬｈを算出する。
【００６２】
指定された元原稿のサイズがＡ５で、必要変倍率Ｈｈが５の場合、幅Ｗｈは、７４０と算出され、長さＬｈは、１０５０と算出される。
【００６３】
そして、幅Ｗｈ、長さＬｈをテーブル３ａと照合して、そのサイズの画情報を納め切れる大きさの複写用紙サイズを取得する（処理Ｓ２０８）。幅Ｗｈが７４０で長さＬｈが１０５０の場合、Ａ１サイズではサイズ不足で、Ａ０サイズが必要となる。
【００６４】
続いて、表示制御処理、つまり、表示器５ｈに、図１０に示す表示Ｄ０４ａくまたは表示Ｄ０４ｂを表示する処理（処理Ｓ３０１）を、［Ｙｅｓ］キー５ｂが押下されるまで行う（判断Ｓ３０２のＮｏのループ）。
【００６５】
表示Ｄ０４ａでは、算出された必要変倍率Ｈｈが５００％（５）であり、指定された元原稿サイズ（Ａ５）をその変倍率で変倍処理するのに必要な複写用紙サイズがＡ０であることを示している。
【００６６】
表示Ｄ０４ｂでは、算出された必要変倍率Ｈｈが２５０％（２．５）であり、指定された元原稿サイズ（Ａ５）をその変倍率で変倍処理するのに必要な複写用紙サイズがＡ２であることを示している。必要変倍率Ｈｈが２５０％（２．５）と算出されるのは、例えば原稿縮尺率Ｓｄとして２５００（分の１）が指定され、所望縮尺率として１０００（分の１）が指定された場合である。
【００６７】
判断３０２で［Ｙｅｓ］キー５ｂが押下されると（判断Ｓ３０２のＹｅｓ）、必要変倍率Ｈｈが自装置の上限変倍率（４００％）を越えているかを確認する（処理Ｓ３０３）。
【００６８】
その確認の結果、上限変倍率を越えている場合には（判断Ｓ３０４のＹｅｓ）、２段階変倍処理を行う（処理Ｓ３０５）。上限変倍率を越えていない場合には（判断Ｓ３０４のＮｏ）、１段階変倍処理を行う（処理Ｓ３０６）。なお、判断４０４がＹｅｓの場合、２段階変倍処理を行わずに、規定外の変倍率（原稿縮尺率と所望縮尺率の組み合せ）が指定されたものとしてエラー終了するように装置を構成するか、または、設定により、そのようなエラー終了するモードを選択できるようにしてもよいが、本実施の形態では、２段階変倍処理を行う。
【００６９】
処理３０６の１段階変倍処理の具体的な処理手順は、図１１に示すと通りである。
【００７０】
つまり、先ず、コンタクトガラス２８上の読み取り基準位置Ｐｓｔｄを基準とする原稿サイズ（幅Ｗｄ、長さＬｄ）の領域の画情報を、読み取り原稿としてスキャナ７により読み取り、ＲＡＭ４に記憶する（処理Ｓ４０１）。
【００７１】
そして、その画情報に対して、必要変倍率Ｈｈでの変倍処理を行う（処理Ｓ４０２）。その場合の必要変倍率Ｈｈは、上限変倍率（４００％）以下のため、問題なく行える。
【００７２】
本実施の形態での変倍処理は、指定された元原稿サイズの画情報を、４００ｄｐｉで読み取って、４００ｄｐｉで用紙上に形成したときに必要変倍率で変倍されるているように見えるようにする処理となるため、例えば４００％の変倍処理なら、１画素を４×４画素に変換する処理となる。空間フィルタを適用した画素補間処理等の公地の変倍処理記述を適用してもよいが、本発明は、変倍処理の具体的な内容により限定されるものではない。
【００７３】
変倍処理後の画情報は、図７の処理Ｓ２０８で取得した、変倍処理後の画情報得が収まる最低サイズの用紙が複写用紙として選択され、プロッタ６によりその選択された複写用紙上に形成され、形成後の複写用紙は排紙トレイ３０上に排紙される（処理Ｓ４０３）。
【００７４】
この１段階処理変倍処理Ｓでは、Ｓ４０３で排出された複写用紙が、画像形成装置１の複写機能でユーザが得るべき最終結果物となるため、処理はそれで完了となる。
【００７５】
次に、処理３０５の２段階変倍処理の具体的な処理手順は、図１２に示すと通りである。
【００７６】
つまり、表示制御処理、つまり、表示器５ｈに、図１３に示す表示Ｄ１０を表示する処理（処理Ｓ５０１）を、［Ｙｅｓ］キー５ｂが押下されるまで行う（判断Ｓ５０２のＮｏのループ）。
【００７７】
表示Ｄ１０では、必要変倍率が上限変倍率を越えたことと、これから２段階複写の手順に進むことをユーザに認識させるための表示を行っている。
【００７８】
判断Ｓ５０２において、［Ｙｅｓ］キー５ｂが押下されると（判断Ｓ５０２のＹｅｓ）、次に、表示制御処理、つまり、表示器５ｈに、図１３に示す表示Ｄ１１を表示する処理（処理Ｓ５０３）を、［Ｙｅｓ］キー５ｂが押下されるまで行う（判断Ｓ５０４のＮｏのループ）。
【００７９】
表示Ｄ１１では、［↑］キー５ｇｕまたは［↓］キー５ｇｄにより、作業用用紙・複写用紙の指定を、定型カット紙で、かつ、サイズは自動選択にするか、または、Ａ０ロール紙固定のいずれにするかを選択するよう促すと共に、［↑］キー５ｇｕまたは［↓］キー５ｇｄの押下に応じて、カーソル（右矢印記号）を「定型カット紙（サイズ自動選択）」または「Ａ０ロール紙」の各文字列の位置に順次移動すると共に、現在の選択状態を記憶する。
【００８０】
判断Ｓ５０４において、［Ｙｅｓ］キー５ｂが押下されると（判断Ｓ５０４のＹｅｓ）、選択状態が、「定型カット紙（サイズ自動選択）」かを判断する（判断Ｓ５０５）。「定型カット紙（サイズ自動選択）」が選択されている場合には（判断Ｓ５０５のＹｅｓ）、定型２段階変倍処理を行う（処理Ｓ５０６）。「定型カット紙（サイズ自動選択）」ではなく、「Ａ０ロール紙」が選択されている場合には（判断Ｓ５０５のＮｏ）、不定型２段階変倍処理を行う（処理Ｓ５０７）。
【００８１】
処理Ｓ５０６の定型２段階変倍処理手順の具体的な処理手順を図１４及び図１５に示す。
【００８２】
それらの図において、先ず、図７の処理Ｓ２０５で算出した必要変倍率Ｈｈを第１部分変倍率Ｈ１と第２部分変倍率に分割する（処理Ｓ６０１）。具体的には、必要変倍率Ｈｈを複数の部分変倍率に分割する形態としては、仮に、Ｈ１、Ｈ２、Ｈ３の３つの部分変倍率に分割するなら、Ｈｈの立方根をＨ１、Ｈ２、Ｈ３として適用できる。具体的には、必要変倍率Ｈｈが５００％なら、Ｈ１＝Ｈ２＝Ｈ３＝１７１％とすればよい。その他にも、分割した各部分変倍率を互いに乗じた値が必要変倍率Ｈｈになる値であれば、各部分変倍率の設定の組み合せはいかようであっても、それらの部分変倍率での変倍処理を繰り返せば、必要変倍率Ｈｈで変倍処理された画情報が形成された複写用紙を得ることができる。
【００８３】
このように、３つ以上の部分変倍率に分割することも可能ではあるが、本実施の形態では、上限変倍率が４００％で、２段階変倍なら１６００％まで対応できる。そのため、本実施の形態では、Ｈ１、Ｈ２の２つ（２段階）の部分変倍率への分割にとどめている。
【００８４】
その第１、第２の部分変倍率Ｈ１，Ｈ２への必要変倍率Ｈｈの分割の形態としては、単純に、Ｈｈの平方根をＨ１，Ｈ２として適用するようにしてもよい。しかし、本実施の形態の形態では、必要変倍率Ｈｈを上限変倍率（４００％）と、その残りの部分変倍率とに分割する。具体的には、必要変倍率Ｈｈが５００％ならば、５００％／４００％＝１２５％とする。更に、上限変倍率（４００％）のほうを、第２の部分変倍率Ｈ２とし、１２５％の方を、第１の部分変倍率Ｈ１とする。この処理手順は変倍率分割手段に相当する。
【００８５】
そして、元原稿の原稿幅Ｗｄ、原稿長さＬｄ、第１部分変倍率Ｈ１とから中間画情報サイズ（幅Ｗｍ、長さＬｍ）を算出する（処理Ｓ６０２）。具体的には、原稿幅Ｗｄと第１部分変倍率Ｈ１とを互いに乗じることにより（Ｗｄ×Ｈ１）、幅Ｗｍを算出する。また、原稿長さＬｄと第１部分変倍率Ｈ１とを互いに乗じることにより（Ｌｄ×Ｈ１）、長さＬｍを算出する。
【００８６】
指定された元原稿のサイズがＡ５で、第１部分変倍率Ｈ１が１．２５（１２５％）の場合、幅Ｗｍは、１８５と算出され、長さＬｍは、２６３と算出される。
【００８７】
なお、中間画情報とは、最終的に複写原稿上に形成されて出力される画情報ではなく、作業用用紙上に形成されて利用される作業用の画情報であり、本実施の形態では縮尺率指定モードでの変倍は、２段階変倍までのため、その中間画情報は１枚しか生成されないが、仮に、３段階以上の変倍で対応する場合には、２枚以上の中間画情報が生成され、また、それらが形成される作業用用紙も２枚以上必要となる。
【００８８】
次に、幅Ｗｍ、長さＬｍをテーブル３ａと照合して、そのサイズの画情報を納め切れる大きさの作業用用紙サイズを取得する（処理Ｓ６０３）。幅Ｗｍが１８５で長さＬｍが２６３の場合、Ａ４サイズで十分である。
【００８９】
このように、第２部分変倍率を上限変倍率に設定し、第１部分変倍率を最小限すると共に、作業用用紙として最小限のサイズのものを選ぶようにすることで、縮尺率指定モードでの２段階変倍処理の際に最終的な結果物である複写用紙の他に使わなければならい作業用用紙にかかるコストを最小化できる。
【００９０】
続いて、表示制御処理、つまり、表示器５ｈに、図１６に示す表示Ｄ２０を表示する処理（処理Ｓ６０４）を、［Ｙｅｓ］キー５ｂが押下されるまで行う（判断Ｓ６０５のＮｏのループ）。
【００９１】
表示Ｄ２０では、必要変倍率Ｈｈが５００％で、そのＨｈが、第１部分変倍率Ｈ１（１２５％）と、第２部分変倍率（４００％）とに分割されたことと、先ず、第１部分変倍率Ｈ１（１２５％）での複写が行われることと、そのために使用される作業用用紙がＡ４サイズであることが示されている。
【００９２】
判断Ｓ６０５で［Ｙｅｓ］キー５ｂが押下されると（判断Ｓ６０５のＹｅｓ）、
コンタクトガラス２８上の読み取り基準位置Ｐｓｔｄを基準とする原稿サイズ（幅Ｗｄ、長さＬｄ）の領域の画情報を、読み取り原稿として、スキャナ７により読み取り、ＲＡＭ４に記憶する（処理Ｓ６０６）。
【００９３】
そして、その画情報に対して、第１部分変倍率Ｈ１での変倍処理を行う（処理Ｓ６０７）。その場合の第１部分変倍率Ｈ１は、上限変倍率（４００％）以下のため、問題なく行える。
【００９４】
変倍処理後の画情報は、処理Ｓ６０３で取得した、変倍処理後の画情報得が収まる最低サイズの用紙が、作業用用紙として選択されて、プロッタ６によりその選択された作業用用紙上に形成され、形成後の作業用用紙は排紙トレイ３０上に排紙される（処理Ｓ６０８）。
【００９５】
そして、表示制御処理、つまり、表示器５ｈに、図１６に示す表示Ｄ２１を表示する処理（処理Ｓ７０１）を、［Ｙｅｓ］キー５ｂが押下されるまで行う（判断Ｓ７０２のＮｏのループ）。
【００９６】
表示Ｄ２１では、処理Ｓ６０８で排紙された作業用用紙を読み取り基準位置に正しくセットするよう促すと共に、第２部分変倍率（上限変倍率（４００％））での最終的な複写処理を行って作業を完了する旨を示し、また、今回の定型２段階変倍処理の最終的な結果物である複写用紙がＡ０サイズであることが示されている。
【００９７】
判断Ｓ７０２で［Ｙｅｓ］キー５ｂが押下されると（判断Ｓ７０２のＹｅｓ）、
コンタクトガラス２８上の読み取り基準位置Ｐｓｔｄを基準とする、中間画情報サイズ、つまり、図１４の処理Ｓ６０２で算出した中間画情報サイズ（幅Ｗｍ、長さＬｍ）の領域の画情報を、読み取り原稿として、スキャナ７により読み取り、ＲＡＭ４に記憶する（処理Ｓ７０３）。
【００９８】
そして、その画情報に対して、第２部分変倍率Ｈ２での変倍処理を行う（処理Ｓ７０４）。その場合の第２部分変倍率Ｈ２は、上限変倍率（４００％）のため、問題なく行える。
【００９９】
図７の処理Ｓ２０８で取得した、変倍処理後の画情報得が収まる最低サイズの用紙が、複写用紙として選択されて、変倍処理後の画情報は、プロッタ６によりその選択された複写用紙上に形成され、形成後の複写用紙は排紙トレイ３０上に排紙される（処理Ｓ７０５）。
【０１００】
これにより、ユーザは、指示した通りの所望縮尺率の画情報が形成された複写用紙を最終結果物として得る。処理Ｓ６０８で排紙され、処理Ｓ７０３のためにコンタクトガラス２８に載置した作業用用紙は、リサイクルに回すなりの適切な処置がとられる。
【０１０１】
図１７に、以上説明した定型２段階複写処理の過程について模式的に示す。
元原稿の画情報が最小限のサイズの作業用用紙を用いて、最小限の複写用紙に、２段階で複写されていることがよくわかる。しかも、各段階の変倍率は装置側で算出していて、ユーザはは元原稿の縮尺率と所望縮尺率の指定のみで済むため操作性の向上が著しい。
【０１０２】
図１２の処理Ｓ５０７の不定型２段階変倍処理手順の具体的な処理手順を図１８及び図１９に示す。
【０１０３】
それらの図において、先ず、図７の処理Ｓ２０５で算出した必要変倍率Ｈｈを第１部分変倍率Ｈ１と第２部分変倍率に分割する（処理Ｓ８０１）。
【０１０４】
本実施の形態では、上限変倍率が４００％で、２段階変倍なら１６００％まで対応できる。そのため、本実施の形態では、Ｈ１、Ｈ２の２つ（２段階）の部分変倍率への分割にとどめている。
【０１０５】
その第１、第２の部分変倍率Ｈ１，Ｈ２への必要変倍率Ｈｈの分割の形態としては、単純に、Ｈｈの平方根をＨ１，Ｈ２として適用するようにしてもよい。しかし、本実施の形態の形態では、必要変倍率Ｈｈを上限変倍率（４００％）と、その残りの部分変倍率とに分割する。具体的には、必要変倍率Ｈｈが５００％ならば、５００％／４００％＝１２５％とする。更に、上限変倍率（４００％）のほうを、第２の部分変倍率Ｈ２とし、１２５％の方を、第１の部分変倍率Ｈ１とする。この処理手順は変倍率分割手段に相当する。
【０１０６】
そして、元原稿の原稿幅Ｗｄ、原稿長さＬｄ、第１部分変倍率Ｈ１とから中間画情報サイズ（幅Ｗｍ、長さＬｍ）を算出する（処理Ｓ８０２）。具体的には、原稿幅Ｗｄと第１部分変倍率Ｈ１とを互いに乗じることにより（Ｗｄ×Ｈ１）、幅Ｗｍを算出する。また、原稿長さＬｄと第１部分変倍率Ｈ１とを互いに乗じることにより（Ｌｄ×Ｈ１）、長さＬｍを算出する。
【０１０７】
指定された元原稿のサイズがＡ５で、第１部分変倍率Ｈ１が１．２５（１２５％）の場合、幅Ｗｍは、１８５と算出され、長さＬｍは、２６３と算出される。
【０１０８】
次に、作業用用紙サイズを、指定された通り「Ａ０ロール」とする（処理Ｓ８０３）。続いて、表示制御処理、つまり、表示器５ｈに、図２０に示す表示Ｄ３０を表示する処理（処理Ｓ８０４）を、［Ｙｅｓ］キー５ｂが押下されるまで行う（判断Ｓ８０５のＮｏのループ）。
【０１０９】
表示Ｄ３０では、必要変倍率Ｈｈが５００％で、そのＨｈが、第１部分変倍率Ｈ１（１２５％）と、第２部分変倍率（４００％）とに分割されたことと、先ず、第１部分変倍率Ｈ１（１２５％）での複写が行われることと、そのために使用される作業用用紙がＡ０ロール紙であることが示されている。
【０１１０】
判断Ｓ８０５で［Ｙｅｓ］キー５ｂが押下されると（判断Ｓ８０５のＹｅｓ）、コンタクトガラス２８上の読み取り基準位置Ｐｓｔｄを基準とする原稿サイズ（幅Ｗｄ、長さＬｄ）の領域の画情報を、読み取り原稿として、スキャナ７により読み取り、ＲＡＭ４に記憶する（処理Ｓ８０６）。
【０１１１】
そして、その画情報に対して、第１部分変倍率Ｈ１での変倍処理を行う（処理Ｓ８０７）。その場合の第１部分変倍率Ｈ１は、上限変倍率（４００％）以下のため、問題なく行える。
【０１１２】
処理Ｓ８０３で選択されたＡ０ロール紙が、作業用用紙として選択され、変倍処理後の画情報は、プロッタ６によりその選択された作業用用紙上に形成され（処理Ｓ９０１）、形成後の作業用用紙（Ａ０ロール紙）は、形成した画情報の長さでカットされて（処理Ｓ９０２）、排紙トレイ３０上に排紙される（処理Ｓ９０３）。指定された元原稿のサイズがＡ５で、第１部分変倍率Ｈ１が１．２５（１２５％）の場合、長さＬｍは２６３ｍｍため、２６３ｍｍでカットされる。
【０１１３】
そして、表示制御処理、つまり、表示器５ｈに、図２０に示す表示Ｄ３１を表示する処理（処理Ｓ９０４）を、［Ｙｅｓ］キー５ｂが押下されるまで行う（判断Ｓ９０５のＮｏのループ）。
【０１１４】
表示Ｄ３１では、処理Ｓ９０３で排紙された作業用用紙を読み取り基準位置に正しくセットするよう促すと共に、第２部分変倍率（上限変倍率（４００％））での最終的な複写処理を行って作業を完了する旨を示し、また、今回の不定型２段階変倍処理の最終的な結果物である複写用紙がＡ０ロール紙であることが示されている。
【０１１５】
判断Ｓ９０５で［Ｙｅｓ］キー５ｂが押下されると（判断Ｓ９０５のＹｅｓ）、コンタクトガラス２８上の読み取り基準位置Ｐｓｔｄを基準とする、中間画情報サイズ、つまり、図１８の処理Ｓ８０２で算出した中間画情報サイズ（幅Ｗｍ、長さＬｍ）の領域の画情報を、読み取り原稿として、スキャナ７により読み取り、ＲＡＭ４に記憶する（処理Ｓ９０６）。
【０１１６】
そして、その画情報に対して、第２部分変倍率Ｈ２での変倍処理を行う（処理Ｓ９０７）。その場合の第２部分変倍率Ｈ２は、上限変倍率（４００％）のため、問題なく行える。
【０１１７】
処理Ｓ８０３で選択されたＡ０ロール紙が、作業用用紙として選択され、変倍処理後の画情報は、複写用紙としても選択されたＡ０ロール紙上にプロッタ６により形成され（処理Ｓ９０８）、形成後の複写用紙（Ａ０ロール紙）は、形成した画情報の長さでカットされて（処理Ｓ９０９）、排紙トレイ３０上に排紙される（処理Ｓ９１０）。
【０１１８】
これにより、ユーザは、指示した通りの所望縮尺率の画情報が形成された複写用紙を最終結果物として得る。処理Ｓ９０３で排紙され、処理Ｓ９０６のためにコンタクトガラス２８に載置したカットされたＡ０ロール紙としての作業用用紙は、リサイクルに回すなりの適切な処置がとられる。
【０１１９】
このように、第２部分変倍率を上限変倍率に設定し、第１部分変倍率を最小限すると共に、作業用用紙として任意の長さにカット可能なＡ０ロール紙を選ぶようにすることで、縮尺率指定モードでの２段階変倍処理の際に最終的な結果物である複写用紙の他に使わなければならい作業用用紙にかかるコストを最小化できる。
【０１２０】
図２２に、以上説明した不定型２段階複写処理の過程について模式的に示す。元原稿の画情報が最小限の長さの作業用用紙を用いて、最小限の長さの複写用紙に、２段階で複写されていることがよくわかる。しかも、各段階の変倍率は装置側で算出していて、ユーザは元原稿の縮尺率と所望縮尺率の指定のみで済むため操作性の向上が著しい。
【０１２１】
以上説明したように、本実施の形態によれば煩雑な変倍率の指定の代わりに、縮尺率を指定するだけの簡単な操作で所望の縮尺率の画情報が形成された複写用紙を得ることができるようになる。
【０１２２】
【発明の効果】
請求項１に係る発明によれば、原稿の縮尺率と、その原稿を基にしてユーザが得たいと所望する縮尺率とから、必要となる変倍率を自動的に算出してその変倍率で原稿の画情報を変倍して複写原稿上に形成して出力するようにしたため、縮尺率を指定した変倍複写を容易に行うことが可能となる効果が得られる。
【０１２３】
請求項２に係る発明によれば、前記原稿縮尺率と前記所望縮尺率とから算出される前記必要縮尺率が、装置の上限変倍率（例えば２００％、４００％）を越える場合には、前記元原稿から前記複写用紙への直接の変倍複写はできないため、前記必要縮尺率を前記上限変倍率を超えない複数の部分変倍率に分割すると共に、１枚（前記部分変倍率が２つの場合）、または複数枚（前記部分変倍率が３つ以上となる場合）の作業用用紙を介在させることで、前記必要変倍率が前記上限変倍率を超える場合でも、縮尺率指定変倍処理を容易な操作で実現することが可能となる効果が得られる。
【０１２４】
請求項３に係る発明によれば、例えば上限変倍率が２００％で、前記必要変倍率が５００％の場合、前記第１の部分変倍率を１２５％とし、前記第２及び第３の部分変倍率を共に２００％とすることで、多段階の変倍処理の段階数（作業用用紙の使用枚数）を最小限にでき、また、第１段階での変倍率を最小限にできるため、第１の部分変倍率を２００％とする場合と比較して、作業用用紙として使用される総用紙面積を最低化でき、縮尺率指定変倍処理を低コストで実現することが可能となる効果が得られる。
【０１２５】
請求項４に係る発明によれば、作業用用紙として、形成すべき画情報が収まる最小サイズのものが自動選択されて使用されるため、用紙の無駄なく、縮尺率指定変倍処理を行うことが可能となる効果が得られる。
【０１２６】
請求項５に係る発明によれば、作業用用紙として、ロール紙を用いると共に、形成すべき画情報が収まる長さにカットして使用するため、用紙の無駄なく、縮尺率指定変倍処理を行うことが可能となる効果が得られる。
【図面の簡単な説明】
【図１】本発明の実施の形態に係る画像形成装置の概略正面図である。
【図２】コンタクトガラス上の読み取り基準にセットされる各サイズの用紙について示す概略図である。
【図３】本発明の実施の形態に係る画像形成装置のブロック構成について示す図である。
【図４】本発明の実施の形態に係る画像形成装置の操作表示部の配置構成について示す図である。
【図５】ＲＯＭに記憶される原稿・用紙サイズ設定テーブルについて示す図である。
【図６】複写処理手順について示すフローチャートである。
【図７】図６と共に、複写処理手順について示すフローチャートである。
【図８】図６及び図７と共に、複写処理手順について示すフローチャートである。
【図９】図６、図７及び図８の処理手順における表示例について示す図である。
【図１０】図６、図７及び図８の処理手順における表示例について示す別の図である。
【図１１】１段変倍処理の具体的な処理手順について示すフローチャートである。
【図１２】２段変倍処理の具体的な処理手順について示すフローチャートである。
【図１３】図１２の処理手順における表示例について示す図である。
【図１４】定型２段階変倍処理の具体的な処理手順について示す図である。
【図１５】図１４と共に、定型２段階変倍処理の具体的な処理手順について示す図である。
【図１６】図１４及び図１５の処理手順における表示例について示す図である。
【図１７】定型２段階変倍処理について模式的に示す図である。
【図１８】不定型２段階変倍処理の具体的な処理手順について示す図である。
【図１９】図１８と共に、不定型２段階変倍処理の具体的な処理手順について示す図である。
【図２０】図１８及び図１９の処理手順における表示例について示す図である。
【図２１】不定型２段階変倍処理について模式的に示す図である。
【符号の説明】
１  画像形成装置
２  ＣＰＵ
３  ＲＯＭ
４  ＲＡＭ
５  操作表示部
６  プロッタ
７  スキャナ
２７  操作台
２８  コンタクトガラス
２９  原稿押さえ台
３０  排紙トレイ
【図１】
2004282533.tif 000003
【図２】
2004282533.tif 000004
【図３】
2004282533.tif 000005
【図４】
2004282533.tif 000006
【図５】
2004282533.tif 000007
【図６】
2004282533.tif 000008
【図７】
2004282533.tif 000009
【図８】
2004282533.tif 000010
【図９】
2004282533.tif 000011
【図１０】
2004282533.tif 000012
【図１１】
2004282533.tif 000013
【図１２】
2004282533.tif 000014
【図１３】
2004282533.tif 000015
【図１４】
2004282533.tif 000016
【図１５】
2004282533.tif 000017
【図１６】
2004282533.tif 000018
【図１７】
2004282533.tif 000019
【図１８】
2004282533.tif 000020
【図１９】
2004282533.tif 000021
【図２０】
2004282533.tif 000022
【図２１】
2004282533.tif 000023